(57)【要約】【課題】  操作性が向上したタイムスイッチを提供することにある。【解決手段】  操作ブロック２は、制御プログラムの内容を設定する操作入力を受け付ける操作入力部２１と、操作入力部２１に入力された制御プログラムを送信する通信部２３とを有する。本体ブロック１は、ケーブル３０を介して操作ブロック２から制御プログラムを受信する通信部１１と、通信部１１に受信された制御プログラムに基づいて所定の時刻に所定の操作信号を伝送路へ送信する伝送部１４とを有する。制御プログラムの入力操作を受け付ける操作ブロック２が、伝送路に接続された本体ブロック１に、ケーブル３０を介して接続されていることにより、操作ブロック２を本体ブロック１に対して自由に変位させることができるので、本体ブロック１がどこに配置されていても制御プログラムの入力操作が容易であり、操作性が向上している。【選択図】図１
2008271432.tif 000002
【特許請求の範囲】
【請求項１】
それぞれアドレスを付された少なくとも１個の負荷が接続された少なくとも１個の負荷側端末器と、それぞれアドレスを有して所定の条件でトリガを生成する少なくとも１個のトリガ手段を有しいずれかのトリガ手段がトリガを生成したときに該トリガ手段に応じた操作信号を出力する少なくとも１個の制御側端末器と、各負荷側端末器と各制御側端末器とにそれぞれ接続され、いずれかの制御側端末器から操作信号を入力されたときに、トリガを生成したトリガ手段に予め対応付けられた負荷が接続された負荷側端末器に対し、該負荷の制御を指示する制御信号を出力する伝送制御装置と、負荷側端末器と制御側端末器と伝送制御装置とがそれぞれ接続されてトリガと操作信号と制御信号とをそれぞれ媒介する伝送路を備え、負荷側端末器は伝送制御装置から入力された制御信号に応じて負荷を制御する遠隔監視制御システムに用いられるタイムスイッチであって、
制御時刻と制御アドレスとを含む制御プログラムの内容を設定する操作入力を受け付けるプログラム入力手段を有する操作入力部と、
操作入力部に受け付けられた操作入力に応じた表示がなされる表示部と、
操作入力部に入力された制御プログラムの内容を示す電気信号を送信する操作側通信部と、
操作入力部に受け付けられた操作入力に応じて表示部と操作側通信部とをそれぞれ制御する操作側制御部と、
操作側制御部を収納するとともに操作入力部と表示部と操作側通信部とをそれぞれ保持した操作側ハウジングとをそれぞれ有する操作ブロックと、
信号線を介して操作ブロックの操作側通信部に電気的に接続され、操作ブロックの操作側通信部から信号線を介して送信された電気信号を受信する本体側通信部と、
制御プログラムを少なくとも１個格納可能なプログラム記憶部と、
時刻を計時する計時部と、
本体側通信部に受信された電気信号に応じてプログラム記憶部の内容を更新するとともに、計時部によって計時された時刻が、プログラム記憶部に格納された制御プログラムのうちのいずれかの制御時刻となったときに、該制御プログラムに設定された制御アドレスを有するトリガ手段がトリガを生成したときと同様の操作信号を生成する本体側制御部と、
本体側制御部によって制御され伝送路に接続されて本体側制御部が生成した操作信号を伝送路を介して伝送制御装置に送信する伝送部と、
プログラム記憶部と計時部と本体側制御部とをそれぞれ収納するとともに本体側通信部と伝送部とをそれぞれ保持した本体側ハウジングとをそれぞれ有する本体ブロックとを備え、
操作側ハウジングと本体側ハウジングとの少なくとも一方には、操作側ハウジングと本体側ハウジングとの他方に対して着脱自在に結合する結合手段が設けられ、操作側ハウジングは本体側ハウジングに対して結合手段により着脱自在に保持されることを特徴とするタイムスイッチ。
【請求項２】
それぞれアドレスを付された少なくとも１個の負荷が接続された少なくとも１個の負荷側端末器と、それぞれアドレスを有して所定の条件でトリガを生成する少なくとも１個のトリガ手段を有しいずれかのトリガ手段がトリガを生成したときに該トリガ手段に応じた操作信号を出力する少なくとも１個の制御側端末器と、各負荷側端末器と各制御側端末器とにそれぞれ接続され、いずれかの制御側端末器から操作信号を入力されたときに、トリガを生成したトリガ手段に予め対応付けられた負荷が接続された負荷側端末器に対し、該負荷の制御を指示する制御信号を出力する伝送制御装置と、負荷側端末器と制御側端末器と伝送制御装置とがそれぞれ接続されてトリガと操作信号と制御信号とをそれぞれ媒介する伝送路を備え、負荷側端末器は伝送制御装置から入力された制御信号に応じて負荷を制御する遠隔監視制御システムに用いられるタイムスイッチであって、
制御時刻と制御アドレスとを含む制御プログラムの内容を設定する操作入力を受け付けるプログラム入力手段を有する操作入力部と、
操作入力部に受け付けられた操作入力に応じた表示がなされる表示部と、
操作入力部に入力された制御プログラムの内容を示すワイヤレス信号を送信する操作側通信部と、
操作入力部に受け付けられた操作入力に応じて表示部と操作側通信部とをそれぞれ制御する操作側制御部と、
操作側制御部を収納するとともに操作入力部と表示部と操作側通信部とをそれぞれ保持した操作側ハウジングとをそれぞれ有する操作ブロックと、
操作ブロックの操作側通信部から送信されたワイヤレス信号を受信する本体側通信部と、
制御プログラムを少なくとも１個格納可能なプログラム記憶部と、
時刻を計時する計時部と、
本体側通信部に受信された電気信号に応じてプログラム記憶部の内容を更新するとともに、計時部によって計時された時刻が、プログラム記憶部に格納された制御プログラムのうちのいずれかの制御時刻となったときに、該制御プログラムに設定された制御アドレスを有するトリガ手段がトリガを生成したときと同様の操作信号を生成する本体側制御部と、
本体側制御部によって制御され伝送路に接続されて本体側制御部が生成した操作信号を伝送路を介して伝送制御装置に送信する伝送部と、
プログラム記憶部と計時部と本体側制御部とをそれぞれ収納するとともに本体側通信部と伝送部とをそれぞれ保持した本体側ハウジングとをそれぞれ有する本体ブロックとを備え、
操作側ハウジングと本体側ハウジングとの少なくとも一方には、操作側ハウジングと本体側ハウジングとの他方に対して着脱自在に結合する結合手段が設けられ、操作側ハウジングは本体側ハウジングに対して結合手段により着脱自在に保持されることを特徴とするタイムスイッチ。
【請求項３】
操作ブロックの操作側通信部と本体ブロックの本体側通信部との間で送受信されるワイヤレス信号は、赤外光を媒体とすることを特徴とする請求項２記載のタイムスイッチ。
【請求項４】
操作ブロックの操作側通信部と本体ブロックの本体側通信部との間で送受信されるワイヤレス信号は、電波を媒体とすることを特徴とする請求項２記載のタイムスイッチ。
【請求項５】
操作側通信部が送信するワイヤレス信号は、操作ブロック毎に予め設定された識別子を含んでおり、
本体側制御部は、本体側通信部に受信されたワイヤレス信号のうち、予め登録識別子として設定された特定の識別子が含まれるワイヤレス信号のみを受け付けるものであって、
本体ブロックは、本体ハウジングに保持されて登録識別子の設定のための操作入力を受け付ける登録操作部を有することを特徴とする請求項４記載のタイムスイッチ。
【請求項６】
操作側ハウジングには磁石が固着され、本体側ハウジングには磁性体からなり操作側ハウジングの磁石が磁着され磁石と共に結合手段を構成する吸着部が設けられていることを特徴とする請求項１〜５のいずれか１項に記載のタイムスイッチ。
【請求項７】
操作ブロックと本体ブロックとは着脱自在な給電コネクタを介して電気的に接続され、
本体ブロックは、本体ハウジングに保持され給電コネクタを介して操作ブロックに給電する給電部を有し、
操作ブロックは、操作ハウジングに保持され給電コネクタを介して本体ブロックの給電部から給電される受電部と、操作ハウジングに収納された電池とを有し、
操作ブロックの操作側制御部及び表示部は、それぞれ、受電部に本体ブロックの給電部から給電されているときには本体ブロックの給電部を電源とし、受電部に本体ブロックの給電部から給電されていないときには電池を電源とすることを特徴とする請求項１〜６のいずれか１項に記載のタイムスイッチ。
【請求項８】
本体ブロックの本体側制御部は、給電コネクタが接続された状態で操作ブロックの通信部から制御プログラムの更新の指示が通信部に受信されたとき、他に電源が供給されていなければ、操作ブロックの電池から給電コネクタを介して電源を供給されてプログラム記憶部への制御プログラムの書込を行うことを特徴とする請求項７記載のタイムスイッチ。
【請求項９】
操作ブロックは制御プログラムを少なくとも１個格納可能な補助記憶部を有し、
操作側制御部は、操作入力部に受け付けられた操作入力に応じて補助記憶部の内容の更新を行うとともに、補助記憶部から本体ブロックのプログラム記憶部への制御プログラムの転送を指示する所定の操作入力が操作入力部に受け付けられると、操作側通信部を制御して制御プログラムの更新の指示とともに補助記憶部に格納された制御プログラムの内容を本体ブロックへ送信させ、
本体ブロックのプログラム記憶部から補助記憶部への制御プログラムの転送を指示する所定の操作入力が操作入力部に受け付けられると、操作側通信部を制御して制御プログラムの送信の指示を本体ブロックへ送信させてその後に制御プログラムの内容が操作側通信部に受信されたときに補助記憶部の内容を該制御プログラムの内容に書き換え、
本体ブロックにおいて、本体側制御部は、制御プログラムの更新の指示が本体側通信部に受信されると、プログラム記憶部に格納された制御プログラムの内容を、次に受信された制御プログラムの内容に書き換え、
制御プログラムの送信の指示が本体側通信部に受信されると、本体側通信部を制御してプログラム記憶部に格納された制御プログラムの内容を操作ブロックへ送信させることを特徴とする請求項１〜８のいずれか記載のタイムスイッチ。
【発明の詳細な説明】
【技術分野】
【０００１】
本発明は、タイムスイッチに関するものである。
【背景技術】
【０００２】
従来から、伝送制御装置と、少なくとも１個の負荷側端末器と、少なくとも１個の制御側端末器とを、例えば２線式の信号線のような伝送路を介して互いに接続した遠隔監視制御システムが提供されている。制御側端末器は、それぞれ予めアドレスが設定されて所定の条件でトリガを生成する例えばスイッチのようなトリガ手段を少なくとも１個有し、いずれかのトリガ手段がトリガを生成したときに該トリガ手段のアドレスを含む操作信号を伝送制御装置に出力する。伝送制御装置は、いずれかの制御側端末器から操作信号を入力されたときに、トリガを生成したトリガ手段に予め対応付けられた負荷のアドレスを含み該負荷の制御を指示する制御信号を負荷側端末器に出力する。負荷側端末器は、それぞれ予めアドレスが設定された少なくとも１個の負荷が接続され、伝送制御装置から入力された制御信号に、自らが有する負荷のアドレスが含まれているとき、該制御信号に従って該負荷を制御する。操作信号や制御信号は例えば時分割多重方式により伝送される。
【０００３】
負荷は例えば照明器具や換気扇であり、トリガ手段は例えば壁スイッチや人体検知センサである。また、伝送制御装置としては、負荷側端末器に一体化され、負荷への給電路に挿入されたリレーを有し、該リレーをオンオフすることにより負荷をオンオフするものもある。さらに、制御側端末器にトリガ手段が一体化されることもある。
【０００４】
この種の遠隔監視制御システムにおいて用いられる制御側端末器として、タイムスケジュールに沿って自動的に操作信号を出力するプログラム動作が可能なタイムスイッチと呼ばれるものがある。タイムスイッチは、図９（ａ）〜（ｃ）に示すように、制御を行うべき時刻と該時刻に出力する操作信号に含ませるべきアドレスとの組合せからなる制御プログラムが格納されるプログラム記憶部（図示せず）を収納し、制御プログラムの内容を設定する操作入力を受け付ける操作入力部２１と、操作入力部２１への操作入力や動作状態に応じた表示がなされる表示部２２とをそれぞれ保持したハウジングＨを備える（例えば、特許文献１参照）。
【特許文献１】特開２００２−１６９８７号公報
【発明の開示】
【発明が解決しようとする課題】
【０００５】
ところで、タイムスイッチは、伝送路に接続するために、主に分電盤内の空きスペースに設置される。しかし、分電盤内において、空きスペースは、床に近い低い位置や、逆に天井に近い高い位置にあることが多く、このような場所に設置されたタイムスイッチを操作するには、作業者がかがむ必要や、踏み台を用意する必要があり、制御プログラムの入力操作がしにくかった。
【０００６】
本発明は、上記事由に鑑みて為されたものであり、その目的は、操作性が向上したタイムスイッチを提供することにある。
【課題を解決するための手段】
【０００７】
請求項１の発明は、それぞれアドレスを付された少なくとも１個の負荷が接続された少なくとも１個の負荷側端末器と、それぞれアドレスを有して所定の条件でトリガを生成する少なくとも１個のトリガ手段を有しいずれかのトリガ手段がトリガを生成したときに該トリガ手段に応じた操作信号を出力する少なくとも１個の制御側端末器と、各負荷側端末器と各制御側端末器とにそれぞれ接続され、いずれかの制御側端末器から操作信号を入力されたときに、トリガを生成したトリガ手段に予め対応付けられた負荷が接続された負荷側端末器に対し、該負荷の制御を指示する制御信号を出力する伝送制御装置と、負荷側端末器と制御側端末器と伝送制御装置とがそれぞれ接続されてトリガと操作信号と制御信号とをそれぞれ媒介する伝送路を備え、負荷側端末器は伝送制御装置から入力された制御信号に応じて負荷を制御する遠隔監視制御システムに用いられるタイムスイッチであって、制御時刻と制御アドレスとを含む制御プログラムの内容を設定する操作入力を受け付けるプログラム入力手段を有する操作入力部と、操作入力部に受け付けられた操作入力に応じた表示がなされる表示部と、操作入力部に入力された制御プログラムの内容を示す電気信号を送信する操作側通信部と、操作入力部に受け付けられた操作入力に応じて表示部と操作側通信部とをそれぞれ制御する操作側制御部と、操作側制御部を収納するとともに操作入力部と表示部と操作側通信部とをそれぞれ保持した操作側ハウジングとをそれぞれ有する操作ブロックと、信号線を介して操作ブロックの操作側通信部に電気的に接続され、操作ブロックの操作側通信部から信号線を介して送信された電気信号を受信する本体側通信部と、制御プログラムを少なくとも１個格納可能なプログラム記憶部と、時刻を計時する計時部と、本体側通信部に受信された電気信号に応じてプログラム記憶部の内容を更新するとともに、計時部によって計時された時刻が、プログラム記憶部に格納された制御プログラムのうちのいずれかの制御時刻となったときに、該制御プログラムに設定された制御アドレスを有するトリガ手段がトリガを生成したときと同様の操作信号を生成する本体側制御部と、本体側制御部によって制御され伝送路に接続されて本体側制御部が生成した操作信号を伝送路を介して伝送制御装置に送信する伝送部と、プログラム記憶部と計時部と本体側制御部とをそれぞれ収納するとともに本体側通信部と伝送部とをそれぞれ保持した本体側ハウジングとをそれぞれ有する本体ブロックとを備え、操作側ハウジングと本体側ハウジングとの少なくとも一方には、操作側ハウジングと本体側ハウジングとの他方に対して着脱自在に結合する結合手段が設けられ、操作側ハウジングは本体側ハウジングに対して結合手段により着脱自在に保持されることを特徴とする。
【０００８】
この発明によれば、制御プログラムの入力操作を受け付ける操作ブロックが、伝送路に接続された本体ブロックに、信号線を介して接続されていることにより、操作ブロックを本体ブロックに対して自由に変位させることができるので、本体ブロックがどこに配置されていても、制御プログラムの入力操作が容易であり、操作性が向上する。また、操作ブロックを操作しないときは操作側ハウジングを結合手段により本体側ハウジングに保持させておくことができる。
【０００９】
請求項２の発明は、それぞれアドレスを付された少なくとも１個の負荷が接続された少なくとも１個の負荷側端末器と、それぞれアドレスを有して所定の条件でトリガを生成する少なくとも１個のトリガ手段を有しいずれかのトリガ手段がトリガを生成したときに該トリガ手段に応じた操作信号を出力する少なくとも１個の制御側端末器と、各負荷側端末器と各制御側端末器とにそれぞれ接続され、いずれかの制御側端末器から操作信号を入力されたときに、トリガを生成したトリガ手段に予め対応付けられた負荷が接続された負荷側端末器に対し、該負荷の制御を指示する制御信号を出力する伝送制御装置と、負荷側端末器と制御側端末器と伝送制御装置とがそれぞれ接続されてトリガと操作信号と制御信号とをそれぞれ媒介する伝送路を備え、負荷側端末器は伝送制御装置から入力された制御信号に応じて負荷を制御する遠隔監視制御システムに用いられるタイムスイッチであって、制御時刻と制御アドレスとを含む制御プログラムの内容を設定する操作入力を受け付けるプログラム入力手段を有する操作入力部と、操作入力部に受け付けられた操作入力に応じた表示がなされる表示部と、操作入力部に入力された制御プログラムの内容を示すワイヤレス信号を送信する操作側通信部と、操作入力部に受け付けられた操作入力に応じて表示部と操作側通信部とをそれぞれ制御する操作側制御部と、操作側制御部を収納するとともに操作入力部と表示部と操作側通信部とをそれぞれ保持した操作側ハウジングとをそれぞれ有する操作ブロックと、操作ブロックの操作側通信部から送信されたワイヤレス信号を受信する本体側通信部と、制御プログラムを少なくとも１個格納可能なプログラム記憶部と、時刻を計時する計時部と、本体側通信部に受信された電気信号に応じてプログラム記憶部の内容を更新するとともに、計時部によって計時された時刻が、プログラム記憶部に格納された制御プログラムのうちのいずれかの制御時刻となったときに、該制御プログラムに設定された制御アドレスを有するトリガ手段がトリガを生成したときと同様の操作信号を生成する本体側制御部と、本体側制御部によって制御され伝送路に接続されて本体側制御部が生成した操作信号を伝送路を介して伝送制御装置に送信する伝送部と、プログラム記憶部と計時部と本体側制御部とをそれぞれ収納するとともに本体側通信部と伝送部とをそれぞれ保持した本体側ハウジングとをそれぞれ有する本体ブロックとを備え、操作側ハウジングと本体側ハウジングとの少なくとも一方には、操作側ハウジングと本体側ハウジングとの他方に対して着脱自在に結合する結合手段が設けられ、操作側ハウジングは本体側ハウジングに対して結合手段により着脱自在に保持されることを特徴とする。
【００１０】
この発明によれば、制御プログラムの入力操作を受け付ける操作ブロックと、伝送路に接続された本体ブロックとの通信が、ワイヤレス信号によってなされることにより、操作ブロックを本体ブロックに対して自由に変位させることができるので、本体ブロックがどこに配置されていても、制御プログラムの入力操作が容易である。また、操作ブロックを操作しないときは操作ハウジングを結合手段により本体ハウジングに保持させておくことができる。さらに、請求項１の発明に比べ、信号線が不要であることにより操作性が向上する。また、制御プログラムを変更する予定が無いときには操作ブロックを本体ブロックから取り外しておくことにより、いたずらによって制御プログラムが変更されることを防ぐことができる。
【００１１】
請求項３の発明は、請求項２の発明において、操作ブロックの操作側通信部と本体ブロックの本体側通信部との間で送受信されるワイヤレス信号は、赤外光を媒体とすることを特徴とする。
【００１２】
請求項４の発明は、請求項２の発明において、操作ブロックの操作側通信部と本体ブロックの本体側通信部との間で送受信されるワイヤレス信号は、電波を媒体とすることを特徴とする。
【００１３】
請求項５の発明は、請求項４の発明において、操作側通信部が送信するワイヤレス信号は、操作ブロック毎に予め設定された識別子を含んでおり、本体側制御部は、本体側通信部に受信されたワイヤレス信号のうち、予め登録識別子として設定された特定の識別子が含まれるワイヤレス信号のみを受け付けるものであって、本体ブロックは、本体ハウジングに保持されて登録識別子の設定のための操作入力を受け付ける登録操作部を有することを特徴とする。
【００１４】
この発明によれば、複数台を互いに近接配置して用いる場合に、各本体ブロックでそれぞれ登録識別子を異ならせておけば、操作ブロックから送信されたワイヤレス信号により、意図しない本体ブロックにおいて制御プログラムが書き換えられてしまうことを防ぐことができる。また、登録操作部を操作することにより、１個の操作ブロックを複数台の本体ブロックに用いることもできる。
【００１５】
請求項６の発明は、請求項１〜５のいずれかの発明において、操作側ハウジングには磁石が固着され、本体側ハウジングには磁性体からなり操作側ハウジングの磁石が磁着され磁石と共に結合手段を構成する吸着部が設けられていることを特徴とする。
【００１６】
この発明によれば、嵌合によって操作側ハウジングと本体側ハウジングとを結合させる場合と違い、本体側ハウジングへの操作側ハウジングの装着時に操作力が不要であり、また、磨耗による保持力の低下が発生しない。さらに、操作側ハウジングを分電盤等の鉄製の筐体に磁着することもできる。
【００１７】
請求項７の発明は、請求項１〜６のいずれかの発明において、操作ブロックと本体ブロックとは着脱自在な給電コネクタを介して電気的に接続され、本体ブロックは、本体ハウジングに保持され給電コネクタを介して操作ブロックに給電する給電部を有し、操作ブロックは、操作ハウジングに保持され給電コネクタを介して本体ブロックの給電部から給電される受電部と、操作ハウジングに収納された電池とを有し、操作ブロックの操作側制御部及び表示部は、それぞれ、受電部に本体ブロックの給電部から給電されているときには本体ブロックの給電部を電源とし、受電部に本体ブロックの給電部から給電されていないときには電池を電源とすることを特徴とする。
【００１８】
この発明によれば、操作ブロックを本体ブロックから分離させて用いる際には電池を電源としながらも、操作ブロックと本体ブロックとをコネクタを介して接続して用いる場合には本体ブロックから給電されることにより電池の消耗を抑えることができる。
【００１９】
請求項８の発明は、請求項７の発明において、本体ブロックの本体側制御部は、給電コネクタが接続された状態で操作ブロックの通信部から制御プログラムの更新の指示が通信部に受信されたとき、他に電源が供給されていなければ、操作ブロックの電池から給電コネクタを介して電源を供給されてプログラム記憶部への制御プログラムの書込を行うことを特徴とする。
【００２０】
この発明によれば、商用電源等の電源から本体ブロックへの給電が停止されている状態であっても、操作ブロックの電池を電源として、本体ブロックにおいてプログラム記憶部への制御プログラムの書込が可能となる。
【００２１】
請求項９の発明は、請求項１〜８のいずれかの発明において、操作ブロックは制御プログラムを少なくとも１個格納可能な補助記憶部を有し、操作側制御部は、操作入力部に受け付けられた操作入力に応じて補助記憶部の内容の更新を行うとともに、補助記憶部から本体ブロックのプログラム記憶部への制御プログラムの転送を指示する所定の操作入力が操作入力部に受け付けられると、操作側通信部を制御して制御プログラムの更新の指示とともに補助記憶部に格納された制御プログラムの内容を本体ブロックへ送信させ、本体ブロックのプログラム記憶部から補助記憶部への制御プログラムの転送を指示する所定の操作入力が操作入力部に受け付けられると、操作側通信部を制御して制御プログラムの送信の指示を本体ブロックへ送信させてその後に制御プログラムの内容が操作側通信部に受信されたときに補助記憶部の内容を該制御プログラムの内容に書き換え、本体ブロックにおいて、本体側制御部は、制御プログラムの更新の指示が本体側通信部に受信されると、プログラム記憶部に格納された制御プログラムの内容を、次に受信された制御プログラムの内容に書き換え、制御プログラムの送信の指示が本体側通信部に受信されると、本体側通信部を制御してプログラム記憶部に格納された制御プログラムの内容を操作ブロックへ送信させることを特徴とする。
【００２２】
この発明によれば、補助記憶部に格納した制御プログラムを送信するときのみ操作側通信部と本体側通信部とを通信可能とすればよく、操作側通信部と本体側通信部とが通信不可能な状態でも制御プログラムの入力が可能となるから操作性が向上する。また、本体ブロックのプログラム記憶部に格納された制御プログラムを操作ブロックの補助記憶部に転送することにより、制御プログラムの運搬やバックアップが可能となる。
【発明の効果】
【００２３】
請求項１の発明は、制御プログラムの入力操作を受け付ける操作ブロックが、伝送路に接続された本体ブロックに、信号線を介して接続されていることにより、操作ブロックを本体ブロックに対して自由に変位させることができるので、本体ブロックがどこに配置されていても、制御プログラムの入力操作が容易であり、操作性が向上する。また、操作ブロックを操作しないときは操作側ハウジングを結合手段により本体側ハウジングに保持させておくことができる。
【００２４】
請求項２の発明は、制御プログラムの入力操作を受け付ける操作ブロックと、伝送路に接続された本体ブロックとの通信が、ワイヤレス信号によってなされることにより、操作ブロックを本体ブロックに対して自由に変位させることができるので、本体ブロックがどこに配置されていても、制御プログラムの入力操作が容易である。また、操作ブロックを操作しないときは操作ハウジングを結合手段により本体ハウジングに保持させておくことができる。さらに、請求項１の発明に比べ、信号線が不要であることにより操作性が向上する。また、制御プログラムを変更する予定が無いときには操作ブロックを本体ブロックから取り外しておくことにより、いたずらによって制御プログラムが変更されることを防ぐことができる。
【００２５】
請求項５の発明は、操作側通信部が送信するワイヤレス信号は、操作ブロック毎に予め設定された識別子を含んでおり、本体側制御部は、本体側通信部に受信されたワイヤレス信号のうち、予め登録識別子として設定された特定の識別子が含まれるワイヤレス信号のみを受け付けるので、複数台を互いに近接配置して用いる場合に、各本体ブロックでそれぞれ登録識別子を異ならせておけば、操作ブロックから送信されたワイヤレス信号（電波）により、意図しない本体ブロックにおいて制御プログラムが書き換えられてしまうことを防ぐことができる。また、登録識別子の登録のために設けられた登録操作部を操作することにより、１個の操作ブロックを複数台の本体ブロックに用いることもできる。
【００２６】
請求項６の発明は、操作側ハウジングには磁石が固着され、本体側ハウジングには磁性体からなり操作側ハウジングの磁石が磁着され磁石と共に結合手段を構成する吸着部が設けられているので、嵌合によって操作側ハウジングと本体側ハウジングとを結合させる場合と違い、本体側ハウジングへの操作側ハウジングの装着時に操作力が不要であり、また、磨耗による保持力の低下が発生しない。さらに、操作側ハウジングを分電盤等の鉄製の筐体に磁着することもできる。
【００２７】
請求項７の発明は、操作ブロックと本体ブロックとは着脱自在な給電コネクタを介して電気的に接続され、本体ブロックは、本体ハウジングに保持され給電コネクタを介して操作ブロックに給電する給電部を有し、操作ブロックは、操作ハウジングに保持され給電コネクタを介して本体ブロックの給電部から給電される受電部と、操作ハウジングに収納された電池とを有し、操作ブロックの操作側制御部及び表示部は、それぞれ、受電部に本体ブロックの給電部から給電されているときには本体ブロックの給電部を電源とし、受電部に本体ブロックの給電部から給電されていないときには電池を電源とするので、操作ブロックを本体ブロックから分離させて用いる際には電池を電源としながらも、操作ブロックと本体ブロックとをコネクタを介して接続して用いる場合には本体ブロックから給電されることにより電池の消耗を抑えることができる。
【００２８】
請求項８の発明は、本体ブロックの本体側制御部は、給電コネクタが接続された状態で操作ブロックの通信部から制御プログラムの更新の指示が通信部に受信されたとき、他に電源が供給されていなければ、操作ブロックの電池から給電コネクタを介して電源を供給されてプログラム記憶部への制御プログラムの書込を行うので、商用電源等の電源から本体ブロックへの給電が停止されている状態であっても、操作ブロックの電池を電源として、本体ブロックにおいてプログラム記憶部への制御プログラムの書込が可能となる。
【００２９】
請求項９の発明は、操作ブロックは制御プログラムを少なくとも１個格納可能な補助記憶部を有し、操作側制御部は、操作入力部に受け付けられた操作入力に応じて補助記憶部の内容の更新を行うとともに、補助記憶部から本体ブロックのプログラム記憶部への制御プログラムの転送を指示する所定の操作入力が操作入力部に受け付けられると、操作側通信部を制御して制御プログラムの更新の指示とともに補助記憶部に格納された制御プログラムの内容を本体ブロックへ送信させ、本体ブロックのプログラム記憶部から補助記憶部への制御プログラムの転送を指示する所定の操作入力が操作入力部に受け付けられると、操作側通信部を制御して制御プログラムの送信の指示を本体ブロックへ送信させてその後に制御プログラムの内容が操作側通信部に受信されたときに補助記憶部の内容を該制御プログラムの内容に書き換え、本体ブロックにおいて、本体側制御部は、制御プログラムの更新の指示が本体側通信部に受信されると、プログラム記憶部に格納された制御プログラムの内容を、次に受信された制御プログラムの内容に書き換え、制御プログラムの送信の指示が本体側通信部に受信されると、本体側通信部を制御してプログラム記憶部に格納された制御プログラムの内容を操作ブロックへ送信させるので、補助記憶部に格納した制御プログラムを送信するときのみ操作側通信部と本体側通信部とを通信可能とすればよく、操作側通信部と本体側通信部とが通信不可能な状態でも制御プログラムの入力が可能となるから操作性が向上する。また、本体ブロックのプログラム記憶部に格納された制御プログラムを操作ブロックの補助記憶部に転送することにより、制御プログラムの運搬やバックアップが可能となる。
【発明を実施するための最良の形態】
【００３０】
以下、本発明を実施するための最良の形態について、図面を参照しながら説明する。
【００３１】
（実施形態１）
本実施形態は、従来例で説明した遠隔監視制御システムに用いられるものであって、図１に示すように、伝送路としての２線式の信号線（図示せず）に接続される本体ブロック１と、本体ブロック１に着脱自在に結合して操作入力を受け付ける操作ブロック２とを備える。本実施形態では、本体ブロック１と操作ブロック２とは、一端が操作ブロック２に接続されて他端にプラグ３１が設けられた柔軟なケーブル３０と、本体ブロック１に保持されてプラグ３１が挿入接続されプラグ３１とともにコネクタ３を構成するレセプタクル３２とを介して接続される。プラグ３１はレセプタクル３２に対し、例えば嵌合により着脱自在となっている。このようなコネクタ３は周知技術で実現可能であるので、詳細な図示及び説明は省略する。
【００３２】
本体ブロック１は、レセプタクル３２に接続されコネクタ３とケーブル３０に含まれる信号線とを介して操作ブロック２と通信するための通信部１１と、例えばＥＥＰＲＯＭのような不揮発性メモリからなり制御プログラムが格納されるプログラム記憶部１２と、時刻を計時する計時部１３と、伝送路としての２線式の信号線に接続される伝送端子Ｔ１を有して伝送端子Ｔ１に接続された信号線への伝送信号の送受信を行う伝送部１４と、通信部１１に受信された制御プログラムをプログラム記憶部１２に格納するとともに該制御プログラムに基づいたタイマ動作により伝送部１４を制御する制御部１５とを備える。
【００３３】
上記タイマ動作について詳しく説明すると、プログラム記憶部１２に格納される制御プログラムは、制御を行うべき時刻である制御時刻と、制御時刻において制御されるべき負荷に応じた制御アドレスとを含んでいる。制御部１５は、計時部１３によって計時された時刻が、プログラム記憶部１２に格納されたいずれかの制御プログラムの制御時刻となったときに、伝送部１４を制御し、該制御プログラムに含まれる制御アドレスを含む操作信号を伝送制御装置（図示せず）へ送信させる。つまり、伝送制御装置側から見て、上記制御アドレスをアドレスとするトリガ手段が上記制御時刻にトリガを生成した場合における制御側端末器と同様の動作をする。
【００３４】
ここで、本実施形態を複数個併用する場合に動作の基準となる時刻を一致させる（同期をとる）ために、本体ブロック１には、同期入力端子Ｔ３を有し同期入力端子Ｔ３に接続された信号線（図示せず）を介して他の本体ブロック１の計時部１３や基準となる時計のような基準計時手段に接続される同期入力部１７ａと、同期出力端子Ｔ４を有し、同期出力端子Ｔ４に接続された信号線（図示せず）を介して他の本体ブロック１に接続されるとともに、制御部１５によって制御され計時部１３によって計時された時刻を示す時刻信号を、同期出力端子Ｔ４に接続された信号線に出力する同期出力部１７ｂとを備える。制御部１５は、同期入力部１７に時刻信号が入力されると、計時部１３における時刻を該時刻信号に合わせる。すなわち、上記時刻信号を出力可能な時計または１個の本体ブロック１を基準計時手段とし、この基準計時手段を基準計時手段以外の各本体ブロック１の同期出力部１８に信号線を介して接続することにより、各本体ブロック１の時刻をそれぞれ基準計時手段に一致させることができる。
【００３５】
また、本体ブロック１は、例えば交流２４Ｖの給電線が接続される電源端子Ｔ２を有して電源端子Ｔ２を介して電源を供給されて本体ブロック１の各部の電源を生成する電源部１６を有する。
【００３６】
さらに、本体ブロック１は、動作モードを指定するための動作モード切換釦１８ａ〜１８ｃと、動作モード切換釦１８ａ〜１８ｃに一対一に対応して設けられてそれぞれ制御部１５によって駆動される発光ダイオードからなり、指定されている動作モードを発光ダイオードの点灯により示すモード表示灯１９ａ〜１９ｃと、制御部１５によって駆動され本体ブロック１の電源のオンオフを表示する電源表示灯１９ｄとを有する。動作モードは、例えば、それぞれ祝日等の特定の日における特殊な動作として予め設定された制御プログラムによるタイマ動作を行う特日モードが２通りと、制御プログラムに従ったタイマ動作を行わないタイマオフモードとの計３通りである。
【００３７】
操作ブロック２は、複数個（図では１２個）の押釦スイッチ２１ａ〜２１ｌを有して制御プログラムの内容を設定する操作入力が受け付けられる操作入力部２１と、操作入力部２１に受け付けられた操作入力に応じた表示がなされる表示部２２と、ケーブル３０に含まれる信号線３０ａとコネクタ３とを介して本体ブロック１の通信部１１との間で電気信号を送受信する通信部２３と、操作入力部２１に受け付けられた操作入力に応じて表示部２２及び通信部２３をそれぞれ制御する制御部２４と、表示部２２と通信部２３と制御部２４との電源を生成する電源部２５とを備える。
【００３８】
操作ブロック２の電源部２５は電池ＢＴを有し、プラグ３１がレセプタクル３２に接続されていない状態では電池ＢＴを電源とする。電池ＢＴは、例えば互いに直列に接続された２本の乾電池からなる。また、操作ブロック２の電源部２５は、プラグ３１がレセプタクル３２に接続された状態では、ケーブル３０に含まれる給電線３０ｂとコネクタ３とを介して本体ブロック１の電源部１６から給電される。つまり、本体ブロック１の電源部１６が請求項における給電部であり、操作ブロック２の電源部２５が請求項における受電部である。これにより、常に電池ＢＴを電源とする場合に比べて電池ＢＴの消耗を抑制することができる。また、逆に、本体ブロック１の電源部１６は、電源端子Ｔ２に給電がされていない状態でコネクタ３が接続されると、操作ブロック２の電池ＢＴを電源とする。これにより、電源端子Ｔ２に給電がされていない状態であっても、プログラム記憶部１２の書き換えが可能となる。
【００３９】
表示部２２は、例えば液晶パネルからなる液晶表示部２２ａと、制御部２４に制御されて液晶表示部２２ａを駆動する液晶制御部２２ｂとからなる。
【００４０】
また、操作ブロック２には、例えばＥＥＰＲＯＭのような不揮発性メモリからなり制御プログラムを格納可能な補助記憶部２６が設けられている。
【００４１】
プラグ３１がレセプタクル３２に接続されていない状態、すなわち、通信部２３が本体ブロック１と通信不可能な状態で、操作入力部２１において制御プログラムの入力が完了すると、制御部２４は入力された制御プログラムを補助記憶部２６に格納する。
【００４２】
プラグ３１がレセプタクル３２に接続されたとき、操作ブロック２の制御部２４は、補助記憶部２６に制御プログラムが格納されているか否かを検出するとともに、通信部２３を制御して本体ブロック１の制御部１５と通信し、プログラム記憶部１２に制御プログラムが格納されているか否かを検出する。そして、補助記憶部２６とプログラム記憶部１２との一方または両方に制御プログラムが格納されていれば、表示部２２を制御し、補助記憶部２６とプログラム記憶部１２との内容を互いに一致させるか否か、さらに補助記憶部２６とプログラム記憶部１２との両方に制御プログラムが格納されていれば補助記憶部２６とプログラム記憶部１２とのいずれに一致させるかを選択する操作入力を促す。
【００４３】
そして、一致させることが選択された場合であって本体ブロック１のプログラム記憶部１２に一致させる場合には、通信部２３を制御して制御プログラムの転送を要求する転送要求信号を本体ブロック１へ送信させる。本体ブロック１においては、制御部１５は、転送要求信号が通信部１１に受信されると、通信部１１を制御してプログラム記憶部１２に格納された全ての制御プログラムを操作ブロック２へ送信される。操作ブロック２では、転送要求信号の送信後に通信部２３に受信された制御プログラムを補助記憶部２６に格納する。
【００４４】
また、一致させることが選択された場合であって操作ブロック２の補助記憶部２６に一致させる場合には、制御部２４は通信部２３を制御して制御プログラムの更新の指示とともに補助記憶部２６に格納された制御プログラムを操作ブロック２へ送信させる。本体ブロック１では、通信部１１に制御プログラムの更新の指示とともに制御プログラムが受信されると、制御部１５はプログラム記憶部１２の内容を受信された制御プログラムに更新する。
【００４５】
一致させることが選択された場合、及び、プログラム記憶部１２と補助記憶部２６とのいずれにも制御プログラムが格納されていなかった場合には、以後は操作入力部２１への操作入力に応じた制御プログラムの更新は補助記憶部２６とプログラム記憶部１２との両方で行う。つまり、操作ブロック２では、操作入力部２１に制御プログラムが入力されたとき、制御部２４は、入力された制御プログラムを補助記憶部２６に格納するとともに、通信部２３を制御して該制御プログラムを本体ブロック１へ送信させる。本体ブロック１では、通信部１１に受信された制御プログラムをプログラム記憶部１２に格納する。
【００４６】
また、一致させないことが選択された場合には、以後は操作入力部２１への操作入力に応じた制御プログラムの更新は補助記憶部２６のみで行う。
【００４７】
本実施形態では、操作ブロック２に補助記憶部２６が設けられていることにより、補助記憶部２６に格納した制御プログラムを送信するときのみプラグ３１とレセプタクル３２に接続して通信部１１，２３間を通信可能とすればよく、通信部間１１，２３が通信不可能な状態でも操作ブロック２における制御プログラムの入力が可能となるから操作性が向上する。また、本体ブロック１のプログラム記憶部１２に格納された制御プログラムを操作ブロック２の補助記憶部２６に転送することにより、制御プログラムの運搬やバックアップが可能となる。
【００４８】
ここで、操作ブロック２は、図２に示すように、液晶制御部２２ｂと通信部２３と制御部２４と電源部２５と補助記憶部２６とをそれぞれ収納した制御部略直方体形状の操作側ハウジング２０を有する。以下、上下左右は図２（ａ）を基準とし、図２（ｂ）の左右方向を前後方向と呼ぶ。液晶表示部２２ａと、操作入力部２１が有して制御プログラムの入力に用いられる押釦２１ａ〜２１ｋは、それぞれ操作側ハウジング２０の前面に保持されている。また、ケーブル３０は操作側ハウジング２０の右側面から引き出されている。操作側ハウジング２０において、後側の壁の下端部には、電源部２５の電池ＢＴが収納される電池収納凹部（図示せず）が設けられており、ハウジング２０には電池収納凹部を閉塞する電池蓋２０ａが着脱自在に取り付けられている。ここで、操作入力部２１が有する押釦２１ａ〜２１ｌのうち、制御部２４のリセットのために押操作されるリセット釦２１ｌは、例えば電池蓋２０ａによって覆われている。また、操作側ハウジング２０において後側の壁の近傍には、本体ブロック１への装着のための磁石２０ｂが保持されている。
【００４９】
また、本体ブロック１は、通信部１１とプログラム記憶部１２と伝送部１３と計時部１４と制御部１５と電源部１６とをそれそれ格納した図３に示すような本体側ハウジング１０を有する。上下左右は図３（ａ）を基準とし、図３（ｂ）の左右方向を前後方向として説明すると、本体側ハウジング１０の前面には、上下に開放されて操作側ハウジング２０が嵌め込まれる取付凹部１０ａが設けられている。本体側ハウジング１０の上下の寸法は操作側ハウジング２０と同程度であり、取付凹部１０ａの左右の幅寸法は操作側ハウジング２０の左右の幅寸法よりも僅かに大きくなっている。取付凹部１０ａの底面を構成する壁の後側において、操作ブロック２の磁石２０ａの後側となる位置には、例えば鉄のような磁性体からなり磁石２０ｂとともに結合手段を構成する吸着体１０ｂが保持されている。すなわち、磁石２０ｂが吸着体１０ｂに磁着されることにより、操作ブロック２は本体ブロック１に着脱自在に保持される。磁石２０ｂと吸着体１０ｂとを用いることにより、嵌合によって保持する場合と違って磨耗による保持力の低下が生じない上に、操作ブロック２を本体ブロック１だけでなく例えば分電盤等の鉄製の筐体にも磁着することができる。また、動作モード切換釦１８ａ〜１８ｃは取付凹部１０ａの底面の下端部に左右に並べて保持され、各モード表示灯１９ａ〜１９ｃはそれぞれ対応する動作モード切換釦１８ａ〜１８ｃの上側から光が出射するように保持されている。また、電源表示灯１９ｄも取付凹部１０ａの底面から光が出射するように保持されている。
【００５０】
さらに、本体側ハウジング１０の前面の左右両端部には、それぞれ左右方向の外側と前方とに開放されて端子Ｔ１〜Ｔ４が１個ずつ収納される４個の端子収納凹部１０ｃが設けられている。各端子Ｔ１〜Ｔ４は、それぞれ上下に並べて配置された２個１組のねじ端子からなり、各端子収納凹部１０ｃの底面には、それぞれねじ端子間を絶縁する絶縁壁１０ｄが前方へ突設されている。
【００５１】
また、本体側ハウジング１０の前面の右上端部には、取付凹部１０ａに連通し上方と右方とにそれぞれ開放された通線凹部１０ｅが設けられており、レセプタクル３２は通線凹部１０ｅの底面に保持されている。矢印Ａ１で示すように操作ブロック２が取付凹部１０ａに収納されてプラグ３１が矢印Ａ２で示すようにレセプタクル３２に接続された状態では、ケーブル３０は通線凹部１０ｅに収納される。
【００５２】
上記構成によれば、制御プログラムの入力操作を受け付ける操作ブロック２と、伝送路に接続された本体ブロック１とが、ケーブル３０を介して互いに接続されていることにより、操作ブロック２を本体ブロック１に対して自由に変位させることができるので、本体ブロック１がどこに配置されていても、制御プログラムの入力操作が容易であり、操作性が向上する。また、制御プログラムを変更する予定がないときには本体ブロック１から操作ブロック２を取り外しておけば、いたずらによって制御プログラムが変更されることを防ぐことができる。
【００５３】
（実施形態２）
本実施形態の基本構成は実施形態１と共通であるので、共通する部分については説明を省略する。
【００５４】
本実施形態は、通信部１１，２３が、赤外光を媒体とするワイヤレス通信によって通信するものであって、図４に示すように、それぞれワイヤレス信号の送信用の発光ダイオードとワイヤレス信号の受信用のフォトダイオードとを含む光送受信部１１ａ，２３ａを有する。操作ブロック２の光送受信部２３ａは、図５に示すように操作ハウジング２０の上面に設けられ、本体ブロック１の光送受信部１１ａは、図６に示すように本体ハウジング１０の前面の右上端部に設けられている。
【００５５】
また、制御部１５によって制御されて通信部１１，２３の通信中に点灯する受信ランプ１９ｅが、本体ハウジング１の前面において光送受信部１１ａの上側に設けられている。
【００５６】
さらに、本体ブロック１の電源部１６と、操作ブロック２の電源部２５とは、実施形態１のコネクタ３及びケーブル３０に代えて、本体ブロック１の電源部１６に電気的に接続されて操作ハウジング２０の後面において磁石２０ｂの上側に設けられたレセプタクル４２と、操作ブロック２の電源部２５に電気的に接続されて本体ハウジング１０の取付凹部１０ａの底面においてレセプタクル４２に対応する位置から前方へ突出してレセプタクル４２に挿入接続されるプラグ４１とで構成されたコネクタ４を介して互いに電気的に接続され、実施形態１と同様に互いに給電することが可能となっている。プラグ４１はレセプタクル４２に対し、例えば嵌合により着脱自在となっている。このようなコネクタ４は周知技術で実現可能であるので、詳細な図示及び説明は省略する。
【００５７】
また、操作ブロック２の補助記憶部２６と本体ブロック１のプログラム記憶部１２との間での制御プログラムの転送が行われるタイミングは、操作ブロック２の操作入力部２１において制御プログラムの転送を指示する所定の操作入力が受け付けられたタイミングとなっている。
【００５８】
上記構成によれば、制御プログラムの入力操作を受け付ける操作ブロック２と、伝送路に接続された本体ブロック１との通信が、赤外光を媒体としたワイヤレス信号によってなされることにより、操作ブロック２を本体ブロック１に対して自由に変位させることができるので、本体ブロック１がどこに配置されていても、制御プログラムの入力操作が容易であり、操作性が向上する。さらに、実施形態１に比べ、ケーブル３０が邪魔にならないことにより、さらに操作性が向上する。
【００５９】
なお、本実施形態では、コネクタ４が接続されている間は通信部１１，２３間の通信が不可能となっているが、操作ブロック２の光送受信部２３ａを操作側ハウジング２０の後面に設けるとともに本体ブロック１の光送受信部１１ａを取付凹部１０ａの底面に設ければ、コネクタ４の接続中であっても通信部１１，２３間の通信を可能とすることができる。または、通信部１１，２３間を実施形態１と同様にコネクタ４を介して接続し、コネクタ４が接続されている期間にはコネクタ４を介した電気信号での通信が行われる構成としても、コネクタ４の接続中の通信部１１，２３間の通信を可能とすることができる。
【００６０】
（実施形態３）
本実施形態の基本構成は実施形態２と共通であるので、共通する部分については説明を省略する。
【００６１】
本実施形態では、通信部１１，２３は、電波を媒体とするワイヤレス通信によって通信するものであって、光送受信部１１ａ，２３ａに代えて、図７に示すように、それぞれワイヤレス信号の送受信用のアンテナ１１ｂ，２３ｂを有する。このような通信部１１，２３は周知技術で実現可能であるので、詳細な説明は省略する。
【００６２】
また、図８に示すように、通信開始釦１８ｆと、制御部１５によって制御されて通信部１１，２３の通信中に点灯する通信灯１９ｆとが、それぞれ取付凹部１０ａの底面に保持されている。
【００６３】
さらに、本実施形態においては、操作ブロック２の通信部２３が送信する全ての信号には送信元の操作ブロック２の識別子が含まれており、本体ブロック１の制御部１５は、通信部１１に受信されたワイヤレス信号のうち、予め登録識別子として設定された識別子を含むもののみを受け付ける。これにより、複数台を互いに近接配置して用いる場合に、各本体ブロック１でそれぞれ登録識別子を異ならせておけば、操作ブロック２から送信されたワイヤレス信号（電波）により、意図しない本体ブロック１において制御プログラムが書き換えられてしまうことを防ぐことができる。
【００６４】
また、図８に示すように、登録操作部としての通信開始釦１８ｆと、制御部１５によって制御されて通信部１１，２３の通信中に点灯する通信灯１９ｆとが、それぞれ取付凹部１０ａの底面に保持されており、通信開始釦１８ｆの押操作により登録識別子を変更することができる。詳しく説明すると、操作ブロック２において登録識別子の追加を指示する所定の操作入力（例えば、所定の押釦２１ｋの３秒以上の押し続け）がなされたことを示すワイヤレス信号が通信部１１に受信されている間に、通信開始釦１８ｆが押操作されると、本体ブロック１の制御部１５は該ワイヤレス信号に含まれる識別子を登録識別子として登録する。また、操作ブロック２において操作入力部２１に登録識別子の削除を指示する所定の操作入力（例えば、所定の２個の押釦２１ｊ，２１ｋの同時押しの３秒以上の継続）がなされたことを示すワイヤレス信号が受信されている間に通信開始釦１８ｆが押操作され、且つ該ワイヤレス信号に含まれている識別子が登録識別子として設定されていた場合、登録識別子から該識別子を削除する。この構成により、例えば１個の操作ブロック２を複数個の本体ブロック１に用いるといったことも可能となる。
【００６５】
上記構成によれば、制御プログラムの入力操作を受け付ける操作ブロック２と、伝送路に接続された本体ブロック１との通信が、電波を媒体としたワイヤレス信号によってなされることにより、操作ブロック２を本体ブロック１に対して自由に変位させることができるので、本体ブロック１がどこに配置されていても、制御プログラムの入力操作が容易であり、操作性が向上する。さらに、操作ブロック２の通信部２３と本体ブロック１の通信部１１とを通信させる際、実施形態２では操作ブロック２の光送受信部２３ａを本体ブロック１の光送受信部１１ａに向ける必要があったのに対し、本実施形態では操作ブロック２の向きは略問題にならないから、実施形態２に比べてさらに操作性が向上する。
【図面の簡単な説明】
【００６６】
【図１】本発明の実施形態１を示すブロック図である。
【図２】（ａ）〜（ｄ）はそれぞれ同上の操作ブロックを示し、（ａ）は正面図、（ｂ）は右側面図、（ｃ）は下面図、（ｄ）は背面図である。
【図３】（ａ）〜（ｃ）はそれぞれ同上の本体ブロックを示し、（ａ）は正面図、（ｂ）は右側面図、（ｃ）は平面図である。
【図４】本発明の実施形態２を示すブロック図である。
【図５】（ａ）〜（ｄ）はそれぞれ同上の操作ブロックを示し、（ａ）は正面図、（ｂ）は右側面図、（ｃ）は平面図、（ｄ）は背面図である。
【図６】（ａ）〜（ｃ）はそれぞれ同上の本体ブロックを示し、（ａ）は正面図、（ｂ）は右側面図、（ｃ）は平面図である。
【図７】本発明の実施形態３を示すブロック図である。
【図８】（ａ）（ｂ）はそれぞれ同上の本体ブロックを示し、（ａ）は正面図、（ｂ）は平面図である。
【図９】（ａ）〜（ｃ）はそれぞれ従来例を示し、（ａ）は正面図、（ｂ）は右側面図、（ｃ）は下面図である。
【符号の説明】
【００６７】
１  本体ブロック
２  操作ブロック
３，４  コネクタ
１０  本体側ハウジング
１０ａ  磁石
１１  通信部
１２  プログラム記憶部
１３  計時部
１４  伝送部
１５  制御部
１６  電源部
１８ｆ  通信開始釦
２０  操作側ハウジング
２０ｂ  吸着体
２１  操作入力部
２２  表示部
２３  通信部
２４  制御部
２５  電源部
３０  ケーブル
３０ａ  信号線
【図１】
2008271432.tif 000003
【図２】
2008271432.tif 000004
【図３】
2008271432.tif 000005
【図４】
2008271432.tif 000006
【図５】
2008271432.tif 000007
【図６】
2008271432.tif 000008
【図７】
2008271432.tif 000009
【図８】
2008271432.tif 000010
【図９】
2008271432.tif 000011